(57)【要約】【課題】  既設の建物の梁や桁などの上部横架材と下部横架材との間に容易に構築する。【解決手段】  建物の梁や桁などの上部横架材１０と下部横架材１１との間に、断面Ｔ字形の壁面部材１２を、補強鉄筋１３が貫通するパイプ１４に挿通させながら壁面部材１２を上下方向に複数段積み重ねて形成した壁面体１５を嵌め合わせ、下部横架材１１の上面に固定したナット１６に補強鉄筋１３をねじ込み、パイプ１４と補強鉄筋１３との間に楔１７を打ち込んで補強鉄筋１３を固定した状態で、上部横架材１０に固定したボルト１８と補強鉄筋１３とを長ナット１９で連結したものである。これにより、上部横架材１０および下部横架材１１をパイプ１４（補強鉄筋１３）に挿通させる必要がなく、壁面構造物の修理や建物のリフォームの際、既設の建物の上部横架材１０と下部横架材１１との間に、容易に構築することができる。【選択図】  図２
0003132888.tif 000002
【実用新案登録請求の範囲】
【請求項１】
一定長さを有する壁面部材(１２)に設けられた貫通孔(４２)がパイプ(１４)にそのパイプ(１４)が回転不能状態となるように挿通され、前記壁面部材(１２)が上下方向に積み重ねられて構成される壁面体(１５)が、建物の上部横架材(１０)と下部横架材(１１)との間に嵌め合わせ可能に設けられ、
前記パイプ(１４)内に、上下端部にねじ部を有する補強鉄筋(１３)が挿通され、その補強鉄筋(１３)は、その上端部に設けた長ナット(１９)と、前記パイプ(１４)との間に差し込まれその補強鉄筋(１３)を回転不能に固定する楔(１７)とを備え、前記下部横架材(１１)は、その上面に固定され前記補強鉄筋(１３)の下端部がねじ込まれるナット(１６)を有し、前記上部横架材(１０)は、その下面に固定され前記補強鉄筋(１３)の上端部と前記長ナット(１９)により連結されるボルト(１８)を有し、
前記上部横架材(１０)と前記下部横架材(１１)との間に前記壁面体(１５)が嵌め合わされ、前記下部横架材(１１)のナット(１６)に前記補強鉄筋(１３)の下端部がねじ込まれ、前記パイプ(１４)と前記補強鉄筋(１３)との間に楔(１７)が差し込まれて前記補強鉄筋(１３)が回転不能に固定された状態で、前記上部横架材(１０)のボルト(１８)と前記補強鉄筋(１３)の上端部とが前記長ナット(１９)により連結された壁面構造物。
【請求項２】
前記壁面部材(１２)は、一定長さの円柱状の小径木(３１)を長さ方向に半分に分割してなる分割小径木(３２)が、その分割面(３３)を底面(３４)とする所要厚さの基部(３５)と、前記基部(３５)の中央から直交方向に突出する突出部(３６)とからなる断面Ｔ字状に形成されたものであり、前記基部(３５)の厚さが前記突出部(３６)の高さの半分より小さく形成され、前記基部(３５)の底面(３４)を基準とした前記突出部(３６)上端面(３７)の高さの中間点において前記突出部(３６)に貫通孔(４２)がその厚さ方向に設けられ、
前記壁面体(１５)は、前記壁面部材(１２)の基部(３５)底面(３４)が垂直、突出部(３６)が水平になる姿勢に配置するとともに、下段の突出部(３６)側面(３９)上に上段の基部(３５)側面(３８)が乗り、突出部(３６)の突出方向が一段ごとに逆向きに、かつ下段の突出部(３６)上端面(３７)と上段の基部(３５)底面(３４)とが同じ面内に属するように上下に揃えた状態で、前記各壁面部材(１２)が積み重ねられて構成されたものであり、一段ごとの積み重ねの際に生じる上下の壁面部材(１２)間の空間(４１)に壁土等の充填部材(２１)が充填され、最上段の前記壁面部材(１２)が着脱可能に設けられた請求項１に記載の壁面構造物。
【請求項３】
前記楔(１７)は、前記補強鉄筋(１３)に挿通された円筒体であり、その外周面が下方に向かって縮径するように形成された請求項１または２に記載の壁面構造物。
【請求項４】
前記壁面部材(１２)がその長さ方向に各段ごとに複数本突き合せて配置され、かつ一段づつ当該壁面部材(１２)の長さの半分の距離をずらせることにより、各壁面部材(１２)が全体として千鳥状に配置された請求項２または３に記載の壁面構造物。
【考案の詳細な説明】
【技術分野】
【０００１】
この考案は、建物の梁や桁などの上下の横架材の間に構築する壁面構造物に関するものである。
【背景技術】
【０００２】
近年、人工林の保護、林業の振興のため、間伐の必要性が強調され、間伐により伐採された間伐材の利用促進が重要な課題となっている。間伐材等の利用促進を図るために、間伐材等の小径木を利用した壁面構造物が提案されている。
【０００３】
この小径木を利用した壁面構造物として、従来から、一定長さの円柱状の間伐材を、基部とその基部中央から直角に突き出る突出部とからなる断面Ｔ字形となる壁面部材に加工し、その壁面部材を鉄筋に挿通した基礎部材上に上下方向に所要段数鉄筋に挿通し、壁面部材の一段ごとの積み重ねの際に生じる上下の各壁面部材の空間に充填部材を充填し、鉄筋にナットを締め付けて全体を連結したものである（特開２００６−１０４７３７号公報、図６参照）。
【０００４】
この壁面部材の積み重ねは、その突出部の突出方向が一段ごと逆向きに、かつ下段の突出部上端面と上段の壁面部材の基部底面とが同じ面内となるように順次、上下方向に積み重ねられたものである。上下の壁面部材間の空間に充填された充填部材が壁面部材の一部に密着するため、その壁面部材の一部と空気との接触が避けられ、またこれによってすき間が閉塞される。
【０００５】
このすき間の閉塞により、壁面部材が温湿度の変化による膨張、収縮の影響を受けにくくなり、各壁面部材間のすき間も小さくなるため、断熱性、遮音性に優れた壁面構造物が得られる。また、前記壁面構造物は、間伐材等の小径木を加工した壁面部材の組み合わせにより構成されるものであるため、間伐材等の利用を促進することが可能である。
【考案の開示】
【考案が解決しようとする課題】
【０００６】
ところで、この壁面構造物は、基礎部材とその上に所要段数積み重ねた壁面部材とを、これらに挿通した鉄筋にナットを締め付けて連結固定するので、例えば、新規に建物の梁や桁などの上下部横架材の間に構築することが可能である。
【０００７】
しかし、壁面構造物の修理や建物のリフォームなど、既設の建物の梁や桁などの上下部横架材の間に壁面構造物を構築する際、その壁面構造物として従来の壁面構造物を適用すると、基礎部材としての下方の横架材を挿通した鉄筋に壁面部材を積み重ねることが難しく、その鉄筋を上方の横架材に連結固定することも難しい。
【０００８】
そこで、この考案は、既設の建物の梁や桁などの上部横架材と下部横架材との間に、容易に壁面構造物を構築することを課題とする。
【課題を解決するための手段】
【０００９】
前記の課題を解決するために、この考案は、一定長さを有する壁面部材に設けられた貫通孔がパイプにそのパイプが回転不能状態となるように挿通され、前記壁面部材が上下方向に積み重ねられて構成される壁面体が、建物の上部横架材と下部横架材との間に嵌め合わせ可能に設けられ、前記パイプ内に上下端部にねじ部を有する補強鉄筋が挿通され、その補強鉄筋は、その上端部に設けた長ナットと、前記パイプとの間に差し込まれその補強鉄筋を回転不能に固定する楔とを備え、前記下部横架材は、その上面に固定され前記補強鉄筋の下端部がねじ込まれるナットを有し、前記上部横架材は、その下面に固定され前記補強鉄筋の上端部と前記長ナットにより連結されるボルトを有し、前記上部横架材と前記下部横架材との間に前記壁面体が嵌め合わされ、下部横架材のナットに前記補強鉄筋の下端部がねじ込まれ、前記パイプと前記補強鉄筋との間に楔が差し込まれて前記補強鉄筋が回転不能に固定された状態で、前記上部横架材のボルトと前記壁面体の補強鉄筋とが前記長ナットにより連結された構成としたのである。
【００１０】
この構成によると、建物の上部横架材と下部横架材との間に、壁面部材を積み重ねてなる壁面体を嵌め合わせ、その壁面体の補強鉄筋を上部横架材下面のボルトと下部横架材上面のナットとに連結するようにしたので、建物の上下部の横架材をパイプに挿通させる必要がなく、建物の上部横架材と下部横架材との間に壁面構造物を容易に構築することができる。
【００１１】
また、前記壁面部材は、一定長さの円柱状の小径木を長さ方向に半分に分割してなる分割小径木が、その分割面を底面とする所要厚さの基部と、前記基部の中央から直交方向に突出する突出部とからなる断面Ｔ字状に形成されたものであり、前記基部の厚さが前記突出部の高さの半分より小さく形成され、前記基部の底面を基準とした前記突出部上端面の高さの中間点において前記突出部に貫通孔がその厚さ方向に設けられ、前記壁面体は、前記壁面部材の基部底面が垂直、突出部が水平になる姿勢に配置するとともに、下段の突出部側面上に上段の基部側面が乗り、突出部の突出方向が一段ごとに逆向きに、かつ下段の突出部上端面と上段の基部底面とが同じ面内に属するように上下に揃えた状態で、前記各壁面部材が積み重ねられて構成されたものであり、一段ごとの積み重ねの際に生じる上下の壁面部材間の空間に壁土等の充填部材が充填され、最上段の前記壁面部材が着脱可能に設けられた構成を採用することができる。
【００１２】
この構成によると、最上段の壁面部材が着脱可能に設けているので、その最上段の壁面部材を取り外した状態で、この補強鉄筋の上端部と上部横架材のボルトとを連結する長ナットを操作して、これらを連結することができる。このため、壁面体の組み立て性が良いものとなる。
【００１３】
また、前記楔は、前記補強鉄筋に挿通された円筒体であり、その外周面が下方に向かって縮径するように形成されたものであれば、この楔を打ち込むことにより、パイプと補強鉄筋との間の全周に楔を差し込むことができるので、確実に補強鉄筋がパイプ内で回転不能状態となる。
【００１４】
前記壁面部材がその長さ方向に各段ごとに複数本突き合せて配置され、かつ一段づつ当該壁面部材の長さの半分の距離をずらせることにより、各壁面部材が全体として千鳥状に配置された構成とすることもできる。
【考案の効果】
【００１５】
以上のように、この考案は、パイプに挿通して上下に積み重ねた壁面部材からなる壁面体を、既設の建物の上部横架材と下部横架材の間に嵌め合わせ、これらの横架材に連結固定するようにしたので、既設の建物の上部横架材と下部横架材との間に、容易に壁面構造物を構築することができる。
【考案を実施するための最良の形態】
【００１６】
以下、この考案の実施形態１を図１〜図１１に示す。この実施形態の壁面構造体は、図１、図２に示すように、建物の梁や桁などの上部横架材１０と下部横架材１１との間に、断面Ｔ字形の壁面部材１２を、補強鉄筋１３が貫通するパイプ１４に挿通させながら壁面部材１２を上下方向に複数段積み重ねて形成した壁面体１５を嵌め合わせ、下部横架材１１の上面に固定したナット１６に補強鉄筋１３をねじ込み、パイプ１４と補強鉄筋１３との間に楔１７を打ち込んで補強鉄筋１３を固定した状態で、上部横架材１０に固定したボルト１８と補強鉄筋１３とを長ナット１９で連結したものである。
【００１７】
前記壁面部材１２は、図３に示すように、一定長さＬの円柱状の小径木３１を長さ方向に半分に分割した分割小径木３２、３２を加工したものである。この分割小径木３２から形成される壁面部材１２は、図４（ａ）に示すように、分割小径木３２の分割面３３の大部分を底面３４とする一定厚さａの基部３５と、その基部３５の中央から直角に突出した高さｂの突出部３６とからなる断面Ｔ字形に加工されたものである。
【００１８】
基部３５の厚さａは、突出部３６の高さｂの半分以下となるように形成され、基部３５上面と突出部３６の上端面３７とが、分割面３３（底面３４）と平行となるように形成されると共に、基部３５の側面３８と、突出部３６の側面３９が分割面３３と直交するように形成される。なお、壁面部材１２は、図５に示すように、その基部３５の底面３４が垂直に、突出部３６の側面３９が水平になる姿勢に配置して用いられる。
【００１９】
壁面部材１２の基部３５の厚さａを、突出部３６の高さｂの半分以下に形成したのは、図４（ｂ）に示すように、突出部３６の側面３９上に、基部３５の側面３８を突き合わせ、かつ下段の突出部３６の上端面３７と上段の基部３５の底面３４とを同じ面内となるように上下に揃えて積み重ねた際に、上下段の壁面部材１２の間にその基部３５および突出部３６に囲まれた一定間隔ｄの空間４１を形成するためである。
【００２０】
また、図４（ａ）に示すように、前記基部３５の底面３４を基準とした突出部３６上端面３７の高さｃの中間点において、突出部３６に貫通孔４２がその厚さ方向に設けられる。この貫通孔４２は、図６の一点鎖線で示すように、前記壁面部材１２の両端面から距離ｅだけ内側の位置と、壁面部材１２の中央線４３を挟んで両側に距離ｅだけ離れた位置とに計４箇所設けられる。
【００２１】
このように壁面部材１２の所定の位置に貫通孔４２を設けたのは、複数本の壁面部材１２を相互の端面を突き合わせて長さ方向に配列した場合、各壁面部材１２の端面を挟んで両側に距離ｅだけ離れた位置にある一対の貫通孔４２を、壁面部材１２の半分の長さＬ／２間隔ごとに配置するためである。この一対の貫通孔４２の配置により、後述の実施形態のように、壁面部材１２が千鳥状に組み合わされた壁面構造物を構成することが可能となる。
【００２２】
前記壁面体１５は、主に前記壁面部材１２を組み合わせて構成されるが、その補助部材として、断面Ｌ字形の壁面端部材１２ａ、１２ｂが用いられる。この壁面端部材１２ａは、図７（ａ）に示すように、壁面部材１２の基部３５の一部が突出部３６の一方の側面３９に沿う面で切断され、その突出部３６にも前記壁面部材１２と同様に貫通孔４２が設けられる。
【００２３】
また、壁面端部材１２ｂは、図７（ｂ）に示すように、壁面端部材１２ａの貫通孔４２が、突出部３６の上端面３７に延びる切り欠き４４となっている。この切り欠き４４を設けることにより、壁面端部材１２ｂは、その切り欠き４４に補強鉄筋１３を嵌め、壁面体１５の最上段に着脱可能に取り付けられる。
【００２４】
前記パイプ１４は、アルミニウム製であり、図８に示すように、その外径が、各壁面部材１２の貫通孔４２に対して適合する大きさを有している。このパイプ１４に壁面部材１２の貫通孔４２を挿通すると、貫通孔４２の内面とパイプ１４の外径面との間の摩擦抵抗によりパイプ１４が回転不能状態となる。
【００２５】
このパイプ１４の内部に挿通される補強鉄筋１３は、鉄製の軸体であり、その上下端部にねじ部を有し、この上端部のねじ部に設けた長ナット１９と、この長ナット１９の下方への移動を規制する止めナット２０と、円筒状の楔１７とを備えたものである（図９参照）。この楔１７は、外周面が下方に向かって縮径するように形成され、下端部がパイプ１４と補強鉄筋１３との間に差し込み可能に設けられる。この楔１７を差し込むことにより、パイプ１４内で補強鉄筋１３が回転不能状態となる。
【００２６】
前記壁面部材１２を上下方向に複数段積み重ねて形成する壁面体１５は、図８に示すように、壁面端部材１２ａの突出部３６側面３９が下方に向く姿勢に配置され、その壁面端部材１２ａの貫通孔４２を前記パイプ１４に挿通される。その壁面端部材１２ａの上に、壁面部材１２の基部３５の底面が垂直、突出部３６が水平になる姿勢に配置するとともに、下段の突出部３６側面３９上に上段の基部３５側面３８が乗り、突出部３６の突出方向が一段ごとに逆向きに、かつ下段の突出部３６上端面３７と上段の基部３５底面３４とが同じ面内に属するように上下に揃えた状態（図４（ｂ）参照）で、所要段数順次パイプ１４に挿通される。最後に挿通した壁面部材１２の突出部３６側面３９上に、図９に示すように、壁面端部材１２ａの基部３５側面３８が乗る状態で、壁面端部材１２ａがその貫通孔４２を補強鉄筋１３に挿通し、上下方向に積み重ねられる。また、壁面部材１２と、壁面端部材１２ａとの一段ごとの積み重ねの際に生じる上下の壁面部材と壁面端部材１２ａとの間の空間４１に壁土、パテ等の充填部材４５を充填し、構成される（図１０参照）。
【００２７】
以上のように壁面構造物は構成され、その組み立て手順を図８から図１１に基づいて説明する。  
まず、図８に示すように、壁面端部材１２ａをその側面３９が下方に向く姿勢に配置し、壁面端部材１２ａの貫通孔４２を補強鉄筋１３が貫通したパイプ１４に挿通する。パイプ１４に貫通孔４２を挿通することで、パイプ１４が回転不能な状態となる。
【００２８】
次に、その壁面端部材１２ａの上に、壁面端部材１２ａの突出部３６側面３９上に壁面部材１２の基部３５側面３８が乗るように、壁面部材１２がその貫通孔４２を補強鉄筋１３に挿通される。壁面部材１２と壁面端部材１２ａとの間に形成される空間４１に壁土、パテ等の充填部材２１が鉄筋１３を避けて充填される。
【００２９】
下段の壁面部材１２の突出部３６側面３９上に上段の壁面部材１２の基部３５側面３８が乗るように一段ごとに逆向きに、壁面部材１２の貫通孔４２を補強鉄筋１３に挿通する。また、下段の突出部３６上端面３７と、上段の基部３５底面３４とが同じ面内に属するように、壁面部材１２を上下方向に揃えて所要段数積み重ねる。壁面部材１２を一段ごとに積み重ねる際に生じる上下段の壁面部材１２間の空間４１に上述の場合と同様に、壁土、パテ等の充填部材２１を、補強鉄筋１３を避けて充填する。
【００３０】
また、図９に示すように、所要段数積み重ねられた最上段の壁面部材１２の突出部３６側面３９上に、壁面端部材１２ａの基部３５側面３８が乗るように、壁面端部材１２ａをその貫通孔４２を補強鉄筋１３に挿通する。最上段の壁面部材１２と壁面端部材１２ａとの間に形成される空間４１にも壁土、パテ等の充填部材２１を、補強鉄筋１３を避けて充填する。
【００３１】
このようにして、所要段数積み重ねた壁面部材１２、１２ａをパイプ１４に挿通することにより一体化し、図１０に示すように、そのパイプ１４を貫通した補強鉄筋１３の上端部に、筒状の楔１７、止めナット２０、長ナット１９を取り付けて壁面体１５を形成する。
【００３２】
次に、図１１（ａ）に示すように、上部横架材１０の下面に設けた凹部に、その頭部に木ねじの頭部を同軸状に固定したボルト１８をその木ねじにより固定する。また、そのボルト１８と上下方向に同軸となるように、下部横架材１１の上面に設けた凹部にナット１６を固定する。このナット１６は、下部横架材１１の凹部に対して回転不能状態に固定されていればよく、その固定手段として、例えば、ナット１６の外周部にリング体を嵌め合わせ、そのリング体とナット１６の間に木ねじを固定して、その木ねじにより固定するもの、あるいは、下部横架材１１の凹部の形状を横断面角型に形成して、ナット１６の外周部と、その凹部の内面とを突き当てるようにして回転を規制することで固定するものを採用することができる。
【００３３】
続いて、前記壁面体１５を、その補強鉄筋１３が上部横架材１０のボルト１８と下部横架材１１のナット１６とが同軸状態となるように、上部横架材１０と下部横架材１１との間に嵌め合わせる（図１１（ｂ）参照）。
【００３４】
嵌め合わせた壁面体１５の長ナット１９を、まず、下方に移動するように回して止めナット２０に突き当てて、さらにねじ込む。このとき、長ナット１９は、止めナット２０で回転が規制されるので、その長ナット１９のねじ込みにより、補強鉄筋１３が共回りし、補強鉄筋１３が下部横架材１１のナット１６にねじ込まれて補強鉄筋１３とナット１６とが結合する。
【００３５】
その後、補強鉄筋１３に挿通した筒状の楔１７をパイプ１４内に打ち込んで、その楔１７により補強鉄筋１３を回転不能状態に固定する。この固定状態で、長ナット１９を上方に移動するように回転させて、上部横架材１０のボルト１８にねじ込み、ボルト１８と補強鉄筋１３とを連結する（図１１（ｃ）参照）。
【００３６】
補強鉄筋１３の連結後、図１１（ｄ）に示すように、上側の壁面端部材１２ａと上部横架材１０との間に、一対の壁面端部材１２ｂを、その突出部３６が互いに補強鉄筋１３側に向くように、かつ、一方の壁面端部材１２ｂの突出部３６が、他方の壁面端部材１２ｂの基部３５に接する姿勢に配置し、その姿勢で、各壁面端部材１２ｂの切り欠き４４に補強鉄筋１３を嵌めて、木ねじにより一対の壁面端部材１２ｂを互いに固定する（図１１（ｅ）参照）。
【００３７】
以上のように構成される実施形態１の壁面構造物は、長さＬ、前記突出部３６上端面３７の高さｃに相当する厚さｃの壁面構造物として仕上がる（図１、図２参照）。これにより、既設の建物の梁や桁などの上部横架材１０および下部横架材１１をパイプ１４（補強鉄筋１３）に挿通させる必要がなく、これらの間に、壁面部材１２からなる壁面体１５を嵌め合わせて、連結固定することができる。このため、壁面構造物の修理や建物のリフォームの際、既設の建物の上部横架材１０と下部横架材１１との間に、容易に壁面構造物を構築することができる。
【００３８】
また、この壁面構造物は、壁面体１５が、木製の壁面部材１２を補強鉄筋１３を貫通したパイプに、そのパイプが回転不能状態に挿通して所要段数積み重ねて一体化したものである。このため、各壁面部材１２のパイプ１４に対する位置ずれが起こりにくく、壁面体１５が強固に一体化する。この壁面体１５を上部横架材１０と下部横架材１１の間に連結固定することにより、耐震、耐風性に優れた壁面構造物となる。
【００３９】
次に、図１２、図１３に基づいて、壁面構造物に関する実施形態２を説明する。
実施形態２の壁面構造物も、前述の壁面部材１２、壁面端部材１２ａ、１２ｂを用いるが、この場合、壁面部材１２と壁面端部材１２ａ、１２ｂには、一定長さＬのものと、その半分の長さＬ／２のものを用いる。実施形態２の壁面構造物の上下方向の配列は、実施形態１の壁面構造物の場合と同様である。
【００４０】
その長さ方向の配列は、図１２に示すように、一定長さＬの壁面部材１２および壁面端部材１２ａ、１２ｂが長さ方向にその端面を突き合せて所要本数配列されたものである。各段ごとに壁面部材１２がその端面を所要本数突き合わせて配列され、その配列された一端に長さＬ／２の壁面部材１２がその端面を突き合せたものである。一段ごとに一端に配置された長さＬ／２の壁面部材１２が、長さ方向に配列された各壁面部材１２の右端、左端となるように交互に配置され、一段づつ各壁面部材１２の突き合わせ面が、壁面部材１２および壁面端部材１２ａ、１２ｂの長さＬの半分の距離Ｌ／２ずらしたものとなる。
【００４１】
また、前述のように、長さ方向に配列された壁面部材１２には、互いに距離２ｅだけ離れた一対の貫通孔４２が、壁面部材１２の半分の長さＬ／２の距離ごとに設けられている（図６参照）。各段ごとに壁面部材１２の突き合わせ面を、壁面部材１２の長さＬの半分の距離Ｌ／２ずらし、壁面部材１２の貫通孔４２を揃える。これにより、長さ方向に配列された壁面部材１２および壁面端部材１２ａがその貫通孔４２を補強鉄筋１３に挿通することができ、各壁面部材１２および各壁面端部材１２ａ、１２ｂが全体として千鳥状に配置されたものとなり、壁面構造物を所望の長さにすることができる。
【図面の簡単な説明】
【００４２】
【図１】この考案に係る実施形態１の壁面構造物の一部切り欠き側面図
【図２】同上の壁面構造物の一部切り欠き正面図
【図３】同上の小径木の一部省略斜視図
【図４】（ａ）同上の小径木と壁面部材の関係を表す断面図、（ｂ）同上の各壁面部材の積み重ね状態の関係を表す側面図
【図５】同上の壁面部材の斜視図
【図６】同上の壁面部材の上面図
【図７】（ａ）同上の壁面端部材の斜視図、（ｂ）同上の他の壁面端部材の斜視図
【図８】同上の壁面体の積み重ね途中の一部切り欠き斜視図
【図９】同上の壁面体の一部切り欠き斜視図
【図１０】同上の壁面体の一部切り欠き正面図
【図１１】（ａ）〜（ｅ）同上の壁面構造物の組み立て説明図
【図１２】実施形態２の壁面構造物の積み重ね状態を示す説明図
【図１３】同上の壁面構造物の一部切り欠き正面図
【符号の説明】
【００４３】
１０  上部横架材
１１  下部横架材
１２  壁面部材
１３  補強鉄筋
１４  パイプ
１５  壁面体
１６  ナット
１７  楔
１８  ボルト
１９  長ナット
２０  止めナット
２１  充填部材
３１  小径木
３２  分割小径木
３３  分割面
３４  基部底面
３５  基部
３６  突出部
３７  突出部上端面
３８  基部側面
３９  突出部側面
４１  空間
４２  貫通孔
４３  中央線
４４  切り欠き
【図１】
0003132888.tif 000003
【図２】
0003132888.tif 000004
【図３】
0003132888.tif 000005
【図４】
0003132888.tif 000006
【図５】
0003132888.tif 000007
【図６】
0003132888.tif 000008
【図７】
0003132888.tif 000009
【図８】
0003132888.tif 000010
【図９】
0003132888.tif 000011
【図１０】
0003132888.tif 000012
【図１１】
0003132888.tif 000013
【図１２】
0003132888.tif 000014
【図１３】
0003132888.tif 000015